【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
電気ポテンシャルが印加されて、還元型の金属カチオンを含む負極および酸化型ハロゲン化物アニオンを含む正極を形成する金属ハロゲン化物コンポジットを含むイオン導電性組成物であって、前記負極および正極がその場で形成される組成物。
【請求項２】
前記金属ハロゲン化物コンポジットが、アルカリ金属ハロゲン化物、アルカリ土類金属ハロゲン化物、および希土類金属ハロゲン化物からなる群から選択される化合物を含む、請求項１に記載の組成物。
【請求項３】
前記アルカリ金属ハロゲン化物コンポジットが、リチウム、ナトリウム、カリウム、ルビジウム、およびセシウムからなる群から選択されるアルカリ金属を含む、請求項２に記載の組成物。
【請求項４】
前記アルカリ金属ハロゲン化物コンポジットがヨウ化リチウムを含む、請求項３に記載の組成物。
【請求項５】
前記アルカリ土類金属ハロゲン化物コンポジットが、マグネシウム、カルシウム、ストロンチウム、およびバリウムからなる群から選択されるアルカリ土類金属を含む、請求項２に記載の組成物。
【請求項６】
前記希土類金属ハロゲン化物コンポジットが、イットリウムおよびランタンからなる群から選択される希土類金属を含む、請求項２に記載の組成物。
【請求項７】
前記金属ハロゲン化物コンポジットが、フッ素、臭素、ヨウ素および塩素からなる群から選択されるハロゲン化物を含む、請求項１に記載の組成物。
【請求項８】
前記金属ハロゲン化物コンポジットがフッ化物イオンを含む、請求項１に記載の組成物。
【請求項９】
前記金属ハロゲン化物コンポジットがヨウ化物イオンを含む、請求項１に記載の組成物。
【請求項１０】
充電ポテンシャルが印加されると酸化型ヨウ素塩酸イオンを含む化合物が正極で形成される、請求項１に記載の組成物。
【請求項１１】
充電ポテンシャルが印加されるとポリヨウ化物イオンを含む酸化型化合物が正極で形成される、請求項１に記載の組成物。
【請求項１２】
充電ポテンシャルが印加されると金属ヨウ化物を含む酸化型化合物が正極で形成される、請求項１に記載の組成物。
【請求項１３】
前記金属ハロゲン化物コンポジットがナノコンポジットである、請求項１に記載の組成物。
【請求項１４】
前記金属ハロゲン化物コンポジットが有機成分を更に含む、請求項１に記載の組成物。
【請求項１５】
前記有機成分がヨウ素と化合物を形成する有機材料である、請求項１４に記載の組成物。
【請求項１６】
ヨウ素と化合物を形成する前記有機材料がポリ（ビニルピロリドン）である、請求項１５に記載の組成物。
【請求項１７】
前記有機成分が導電性化合物である、請求項１４に記載の組成物。
【請求項１８】
前記導電性化合物が、ビニルピリジン、ポリ（２−ビニルピリジン）、エチレンオキシド、ポリエチレンオキシド、フッ化ビニリデン、ポリフッ化ビニリデン、チオフェン、ポリチオフェン、フルオロチオフェン、ポリフルオロチオフェン、ピロール、ポリピロール、アニリン、およびポリアニリンからなる群から選択される化合物である、請求項１７に記載の組成物。
【請求項１９】
前記組成物がナノ構造無機成分を更に含む、請求項１に記載の組成物。
【請求項２０】
前記ナノ構造無機成分が、酸化ケイ素、酸化アルミニウム、チタン酸バリウム、および窒化ケイ素からなる群から選択される少なくとも１つの化合物である、請求項１９に記載の組成物。
【請求項２１】
前記金属ハロゲン化物コンポジットが、水およびヒドロキシルイオンからなる群から選択される少なくとも１つのサブグループを更に含む、請求項１に記載の組成物。
【請求項２２】
前記負極が金属集電体を更に含む、請求項１に記載の組成物。
【請求項２３】
前記負極の前記金属集電体が、ステンレス鋼、ケイ素、ニッケル、アルミニウム、スズ、金、銀、白金、および銅からなる群から選択される金属で形成される、請求項２２に記載の組成物。
【請求項２４】
前記酸化ハロゲン化物イオンが正極の金属集電体と錯体を形成する、請求項２２に記載の組成物。
【請求項２５】
前記正極が金属集電体を含む、請求項１に記載の組成物。
【請求項２６】
前記正極の前記金属集電体が、ステンレス鋼、銅、ニッケル、アルミニウム、金、銀、および白金からなる群から選択される金属で形成される、請求項２５に記載の組成物。
【請求項２７】
前記組成物が約１００ミクロン未満の厚さで堆積される、請求項１に記載の組成物。
【請求項２８】
前記組成物が直描法で堆積される、請求項１に記載の組成物。
【請求項２９】
長さ、幅および深さの寸法を有する管を含み、断面において前記管が、円形、長楕円形、正方形および長方形からなる群から選択される形状を有し、軸率が＞１であり、前記３つの寸法の２つにおいて前記管の厚さが１ｍｍ未満である電気化学セル。
【請求項３０】
前記管の前記断面のほぼ中心に置かれて位置付けされた導電性ワイヤーを更に含み、前記導電性ワイヤーが前記セルの前記長さの下方に続いている、請求項２９に記載の電気化学セル。
【請求項３１】
前記セルが約１ｍｍ未満の直径の円筒である、請求項２９に記載の電気化学セル。
【請求項３２】
前記管の外側表面が外側集電体であり、前記導電性ワイヤーが内側集電体である、請求項２９に記載の電気化学セル。
【請求項３３】
前記外側集電体が正極であり、前記内側集電体が負極である、請求項３２に記載の電気化学セル。
【請求項３４】
前記正極が、ステンレス鋼、ケイ素、タングステン、クロム、およびアルミニウムからなる群から選択される少なくとも１つの材料で作られる、請求項３３に記載の電気化学セル。
【請求項３５】
前記負極が、ステンレス鋼、ケイ素、タングステン、マグネシウム、クロム、およびアルミニウムからなる群から選択される少なくとも１つの材料で作られる、請求項３３に記載の電気化学セル。
【請求項３６】
前記セルが化合物を含むコンポジットによりその場で形成され、前記コンポジットが２つの電極の間に配置され、前記セルが前記コンポジットへの電気ポテンシャルの印加により形成される、請求項２９に記載の電気化学セル。
【請求項３７】
前記コンポジットが、水およびヒドロキシルイオンからなる群から選択される少なくとも１つのサブグループを更に含む、請求項３６に記載の電気化学セル。
【請求項３８】
充電ポテンシャルが印加されると酸化型ヨウ素イオンを含む化合物が正極で形成される、請求項３６に記載の電気化学セル。
【請求項３９】
充電ポテンシャルが印加されるとヨウ化物イオンおよびポリヨウ化物イオンからなる群から選択される少なくとも１つのイオンを含む酸化型化合物が正極で形成される、請求項３６に記載の電気化学セル。
【請求項４０】
充電ポテンシャルが印加されると金属ヨウ化物を含む酸化型化合物が正極で形成される、請求項３６に記載の電気化学セル。
【請求項４１】
前記化合物が金属ハロゲン化物を含む、請求項３６に記載の電気化学セル。
【請求項４２】
前記金属ハロゲン化物が、アルカリ金属ハロゲン化物、アルカリ土類金属ハロゲン化物、および希土類金属ハロゲン化物からなる群から選択される、請求項４１に記載の電気化学セル。
【請求項４３】
前記アルカリ金属ハロゲン化物が、リチウム、ナトリウム、カリウム、ルビジウム、およびセシウムからなる群から選択されるアルカリ金属を含む、請求項４２に記載の電気化学セル。
【請求項４４】
前記アルカリ金属ハロゲン化物がリチウムを含む、請求項４３に記載の電気化学セル。
【請求項４５】
前記アルカリ金属ハロゲン化物がヨウ化リチウムである、請求項４４に記載の電気化学セル。
【請求項４６】
前記アルカリ土類金属ハロゲン化物が、マグネシウム、カルシウム、ストロンチウム、およびバリウムからなる群から選択されるアルカリ土類金属を含む、請求項４２に記載の電気化学セル。
【請求項４７】
前記希土類金属ハロゲン化物が、イットリウムおよびランタンからなる群から選択される希土類金属を含む、請求項４２に記載の電気化学セル。
【請求項４８】
前記金属ハロゲン化物化合物が、フッ素、臭素、ヨウ素および塩素からなる群から選択されるハロゲン化物を含む、請求項４２に記載の電気化学セル。
【請求項４９】
前記コンポジットが有機成分を更に含む、請求項３６に記載の電気化学セル。
【請求項５０】
前記有機成分がヨウ素と化合物を形成する有機材料である、請求項４９に記載の電気化学セル。
【請求項５１】
ヨウ素と化合物を形成する前記有機材料がポリ（ビニルピロリドン）である、請求項５０に記載の電気化学セル。
【請求項５２】
前記有機成分が導電性化合物である、請求項４９に記載の電気化学セル。
【請求項５３】
前記導電性化合物が、ビニルピリジン、ポリ（２−ビニルピリジン）、エチレンオキシド、ポリエチレンオキシド、フッ化ビニリデン、ポリフッ化ビニリデン、チオフェン、ポリチオフェン、フルオロチオフェン、ポリフルオロチオフェン、ピロール、ポリピロール、アニリン、およびポリアニリンからなる群から選択される、請求項５２に記載の電気化学セル。
【請求項５４】
前記コンポジットがナノ構造無機成分を更に含む、請求項３６に記載の電気化学セル。
【請求項５５】
前記ナノ構造無機成分が、酸化ケイ素、酸化アルミニウム、チタン酸バリウム、および窒化ケイ素からなる群から選択される少なくとも１つの化合物である、請求項５４に記載の電気化学セル。
【請求項５６】
前記コンポジットがナノコンポジットである、請求項３６に記載の電気化学セル。
【請求項５７】
前記電気化学セルの前記長さ寸法が、第２の更に長い長さ寸法まで延長され、検出、無線通信、および環境発電エレクトロニクスを含む群が前記電気化学セルの前記第２の更に長い長さ寸法内に含まれる、請求項２９に記載の電気化学セル。